(57)【要約】【課題】  従来の生体測定装置では、生体各部位を順次切替えて測定する装置であっても、被験者が各部位毎の測定結果を知ることはできなかった。【解決手段】  生体の各部位に接触させる複数の電極と、この電極に電流を流す電流供給装置と、この電極の電圧を測定する電圧測定装置と、複数電極の内、どの電極に電流を流し、どの電極の電圧を測定するかを切替える切替装置と、電流供給装置と電圧測定装置と切替装置とを制御する制御装置と、制御装置に接続される表示装置とを備え、制御装置は、切替装置により切替えて測定される生体の部位毎の測定結果を表示装置に表示する測定装置が提供される。【選択図】          図１０
2004243148.tif 000002
【特許請求の範囲】
【請求項１】
生体の各部位に接触させる複数の電極と、この電極に電流を流す電流供給装置と、この電極の電圧を測定する電圧測定装置と、複数電極の内、どの電極に電流を流し、どの電極の電圧を測定するかを切替える切替装置と、電流供給装置と電圧測定装置と切替装置とを制御する制御装置と、制御装置に接続される表示装置とを備え、制御装置は、切替装置により切替えて測定される生体の部位毎の測定結果を表示装置に表示することを特徴とする生体測定装置。
【請求項２】
請求項１において、測定される生体の部位は、被験者の右手、右足、左手、左足、頭部及び体幹部のいずれかであることを特徴とする生体測定装置。
【請求項３】
請求項１において、表示される測定結果は、被験者の電気インピーダンス、体脂肪率、体脂肪量、筋肉量のいずれかであることを特徴とする生体測定装置。
【請求項４】
請求項１から３のいずれかにおいて、制御装置は、測定される生体の全ての部位の測定結果を表示装置に表示することを特徴とする生体測定装置。
【請求項５】
請求項４において、制御装置は、被験者の複数の測定結果を切替え可能であることを特徴とする生体測定装置。
【請求項６】
請求項１から３のいずれかにおいて、制御装置は、測定される生体の一つの部位について複数の測定結果を表示装置に表示することを特徴とする生体測定装置。
【発明の詳細な説明】
【技術分野】
【０００１】
本発明は、生体の各部位の状態を測定する生体測定装置に関する。
【背景技術】
【０００２】
従来、生体各部位を順次切替えて測定する生体測定装置が知られている。
【発明の開示】
【発明が解決しようとする課題】
【０００３】
従来の生体測定装置では、生体各部位を順次切替えて測定する装置であっても、被験者が各部位毎の測定結果を知ることはできなかった。
【０００４】
本発明は、上述の従来技術の問題点を解決し、被験者に測定部位毎の測定結果を知らせることのできる測定装置を提供するものである。
【課題を解決するための手段】
【０００５】
本発明によれば、生体の各部位に接触させる複数の電極と、この電極に電流を流す電流供給装置と、この電極の電圧を測定する電圧測定装置と、複数電極の内、どの電極に電流を流し、どの電極の電圧を測定するかを切替える切替装置と、電流供給装置と電圧測定装置と切替装置とを制御する制御装置と、制御装置に接続される表示装置とを備え、制御装置は、切替装置により切替えて測定される生体の部位毎の測定結果を表示装置に表示する測定装置が提供される。
【０００６】
また、本発明によれば、測定される生体の部位は、被験者の右手、右足、左手、左足、頭部及び体幹部のいずれかである。さらに、本発明によれば、表示される測定結果は、被験者の電気インピーダンス、体脂肪率、体脂肪量、筋肉量のいずれかである。
【発明の効果】
【０００７】
本発明は、生体の各部位に接触させる複数の電極と、この電極に電流を流す電流供給装置と、この電極の電圧を測定する電圧測定装置と、複数電極の内、どの電極に電流を流し、どの電極の電圧を測定するかを切替える切替装置と、電流供給装置と電圧測定装置と切替装置とを制御する制御装置と、制御装置に接続される表示装置とを備え、制御装置は、切替装置により切替えて測定される生体の部位毎の測定結果を表示装置に表示することにより、被験者に測定部位毎の測定結果を知らせることができる。
【０００８】
また、測定される生体の部位を、被験者の右手、右足、左手、左足、頭部及び体幹部のいずれかにすることで、被験者に対しこれらの部位毎の測定結果を知らせることができる。さらに、表示される測定結果を、被験者の電気インピーダンス、体脂肪率、体脂肪量、筋肉量のいずれかにすることで、被験者に測定部位毎のこれらの測定結果を知らせることができる。
【発明を実施するための最良の形態】
【０００９】
本発明の測定装置は、複数電極を切替装置により切替えて測定される生体の部位毎の測定結果を表示装置に表示する。また、測定される生体の部位は、被験者の右手、右足、左手、左足、頭部及び体幹部のいずれかである。さらに、表示される測定結果は、被験者の電気インピーダンス、体脂肪率、体脂肪量、筋肉量のいずれかである。
【実施例】
【００１０】
実施例について、図面を用いて説明すると、図１は測定装置の斜視図で、測定装置１は、概略Ｌ型の形状をしており、下部に体重計２を設け。この体重計２は、公知のものであり、被験者の体重を測定するために載る載台面２ａに左右の足の底面に接する電極部３、４を設けてある。この電極部３、４は、電流を流すための電極３ａ、４ａと、電圧を測定する電極３ｂ、４ｂとから構成される。また測定装置１の前面には、電源スイッチ５と、印刷装置６とを設ける。さらに、測定装置１の上部には、タッチパネル式の液晶表示装置からなる表示兼入力装置７を設け、上部左右側面に左右の手用の電極部８、９とを設ける。この手用電極部８、９は、電流を流すための電極８ａ、９ａと、電圧を測定する電極８ｂ、９ｂとから構成されるが、この手用電極は既に手式の体脂肪計で公知であるので説明を省略する。
【００１１】
図２は、測定装置１の電気ブロック図であり、左右の手足に接する電極３ａ、３ｂ、４ａ、４ｂ、８ａ、８ｂ、９ａ、９ｂの８電極が電極切替装置１０に接続されている。この電極切替装置１０は、電流供給装置１１と、電圧測定装置１２とを介して制御装置１３に接続される。この制御装置１３は、マイクロコンピュータを備え、各種データ等を記憶する記憶装置１４を接続している。また、図１で示した表示兼入力装置７は電気回路的には内部に入力装置１５と表示装置１６とを備えており、これらを制御する入出力制御装置１７を介して制御装置１３に接続している。１８は、制御装置１３やその他の装置に電力を供給する電源装置である。
【００１２】
次に図３、図４、図５のフローチャート及び図６、図７、図８、図９、図１０の表示画面を用いて、本測定装置１の動作を説明する。まず、測定装置１の電源スイッチ５をオンすると、ステップＳ１で全ての電気装置が初期設定され、ステップＳ２で図６ａで示す着衣量の入力モードに進む。このモードでは、着衣の重さを入力してもらうメッセージ表示と着衣量を入力する入力キーボードを表示部１６に表示する。そして入力キーボードの数値キーで被験者の着衣量、例えば１．５ｋｇを表示部の表面から指で入力すると、図６（ｂ）で示すように表示されるので、進むのキーを押すと、ステップＳ３に進む。この時に入力した値が間違った場合には、消去キーで全ての入力して数値を消すか、Ｂａｃｋキーで直前に入力した数値を一つづつ消して再入力する。
【００１３】
ステップＳ３は、体重を測定するモードであり、図６（ｃ）で示すように被験者が体重計２の載台面２ａ上に素足で載ることを促すとともに、ステップＳ２で入力した着衣量を予め減算するようにマイナス表示として表してある。そして、被験者が載台面２ａに載ると、体重計２で体重が測定され、図６（ｄ）で示すように体重の数値を表示するとともに、ステップＳ４に進むようにメッセージも表示する。ここで進むを押すと、図６（ｅ）で示すように体格及び性別を入力できるので、例えばスタンダードの男を押し進むを押すと、ステップＳ５に進む。ステップＳ５は、年令を入力するもので、図６（ｆ）で示すように数値キーにより被験者の年令を入力し、進むを押すとステップＳ６に進む。ステップＳ６は、身長を入力するもので、図７（ａ）で示すように数値キーにより被験者の身長を入力し、進むを押す。これにより、ステップＳ７に進み、ステップＳ３からステップＳ６で測定及び入力した被験者のデータが表示部１６に表示される（図７（ｂ））。ここで戻るか中止のキーを押すと、ステップＳ２に戻り入力及び測定を始めからやり直すことになる。開始のキーを押すと、ステップＳ９に進み、被験者の各部位の測定が始まる。
【００１４】
ステップＳ９は、制御装置１３の指示で切替装置１０が切替ることにより、電極３ａ、４ａ間に電流供給装置１１から交流電流が供給され、電極３ｂ、４ｂで電圧測定装置１２により電圧が測定される。この測定電圧は制御装置１３により電気インピーダンスが演算され、図７（ｃ）で示すように表示部１６に被験者の全身モデルの図と測定部位、この場合電流供給部１１からの電流が供給される部位である両足に黒丸で表示するとともに、電圧測定部位である両足に白丸を表示し、電圧測定部位である両足間の白丸を点線で表示すると共に、電気インピーダンスも表示する。このように電流を供給する部位と測定部位とを表示することにより、被験者に安心感を与えることができ、さらに時間経過を意識させないものである。この測定が終了すると、ステップＳ１０に進む。以下同様に、ステップＳ１０では、両手間を測定するもので、電極８ａ、９ａ間に電流を流し、電極８ｂ、９ｂ間で電圧を測定する。その結果は図７（ｄ）で両手に電流供給の黒丸と電圧測定の白丸と両手間に測定部位を示す点線を表示する。ステップＳ１１では、右手右足間を測定するもので、電極４ａ、９ａ間に電流を流し、電極４ｂ、９ｂ間で電圧を測定する。その結果は図７（ｅ）で上述と同様に示す。ステップＳ１２では、左手左足間を測定するもので、電極８ａ、３ａ間に電流を流し、電極８ｂ、３ｂ間で電圧を測定する。その結果は図７（ｆ）で上述と同様に示す。
【００１５】
ステップＳ１３では、右足を測定するもので、電極９ａ、４ａ間に電流を流し、電極３ｂ、４ｂ間で電圧を測定する。その結果は図８（ａ）で示す。この場合、電流は黒丸で示す通り両足間に流し、白丸及び点線で示すように右手足間で電圧を測定することにより、右足部分の電圧が測定できるため、右足部分の電圧を電流で割ることによりインピーダンスが演算できる。ステップＳ１４では、左足を測定するもので、電極８ａ、３ａ間に電流を流し、電極３ｂ、４ｂ間で電圧を測定する。その結果は図８（ｂ）で示す。この場合、電流は黒丸で示す通り両足間に流し、白丸及び点線で示すように左手足間で電圧を測定することにより、左足部分の電圧が測定できるため、左足部分の電圧を電流で割ることによりインピーダンスが演算できる。ステップＳ１５では、右手を測定するもので、電極９ａ、４ａ間に電流を流し、電極８ｂ、９ｂ間で電圧を測定する。その結果は図８（ｃ）で示す。この場合、電流は黒丸で示す通り両手間に流し、白丸及び点線で示すように右手足間で電圧を測定することにより、右手部分の電圧が測定できるため、右手部分の電圧を電流で割ることによりインピーダンスが演算できる。ステップＳ１６では、左手を測定するもので、電極８ａ、３ａ間に電流を流し、電極８ｂ、９ｂ間で電圧を測定する。その結果は図８（ｄ）で示す。この場合、電流は黒丸で示す通り両手間に流し、白丸及び点線で示すように左手足間で電圧を測定することにより、左手部分の電圧が測定できるため、左手部分の電圧を電流で割ることによりインピーダンスが演算できる。ステップＳ１７では、体幹間を測定するもので、電極９ａ、４ａ間に電流を流し、電極８ｂ、３ｂ間で電圧を測定する。その結果は図８（ｅ）で示す。この場合、電流は黒丸で示す通り左手足間に流し、白丸及び点線で示すように右手足間で電圧を測定することにより、体幹部分の電圧が測定できるため、体幹部分の電圧を電流で割ることによりインピーダンスが演算できる。このように各部位の測定が終了すると、後述するようにステップＳ１８で測定結果を表示し、ステップＳ１９で後述の印刷キーが押されたかを判断し、押されなければステップＳ２に戻り、押されればステップＳ２０で印刷装置６により印刷が行われ、ステップＳ２に戻る。
【００１６】
次に図４を用いて、ステップＳ１８の測定結果表示のサブルーチンを説明するに、ステップＳ３０で制御装置１３の内部の表示カウンタを「０」にし、ステップＳ３１で後述の表示切替スイッチが押されたかを判断するが、最初はＮｏと判断されステップＳ３３に進む。ステップＳ３３では表示カウンタがステップＳ３０で「０」にセットされているのでＹｅｓと判断され、ステップＳ３４に進み、図９（ａ）で示すように体重、全身体脂肪率、除脂肪量、各部位のインピーダンス、部分体脂肪率、部分体脂肪量、部分筋肉量を表形式で表示部１６に表示する。ここで印刷キーを押すと、ステップＳ３５でＹｅｓと判断され、このサブルーチンを抜けて、図３のステップＳ１９に進んでステップＳ２０で印刷が行われる。印刷キーが押されなければ、ステップＳ３６に進み、表示終了キーの判断を行い、表示終了キーが押されなければステップＳ３１に戻り、押されればこのサブルーチンを抜ける。
【００１７】
この数値表示中に表示切替キーが押されると、ステップＳ３１でＹｅｓと判断され、ステップＳ３２で表示カウンタを「１」にインクリメントされ、ステップＳ３３でＮｏと判断され、ステップＳ３７に進む。ステップＳ３７では、Ｙｅｓと判断されるのでステップＳ３８に進み、図９（ｂ）で示すように被験者の全身モデルの図と測定部位毎の電気インピーダンスを表示部１６に表示する。そしてステップＳ３９に進み、後述の部位データ表示のステップを経てステップＳ３５に戻る。  この電気インピーダンス表示中に表示切替キーが押されると、ステップＳ３１からステップＳ３２、Ｓ３３、Ｓ３７を経てステップＳ４０に進む。このときステップＳ４０では、Ｙｅｓと判断されステップＳ４１に進み、図９（ｃ）で示すように被験者の全身モデルの図と測定部位毎の体脂肪率を表示部１６に表示する。そしてステップＳ３９と同様のステップＳ４２に進み、後述の部位データ表示のステップを経てステップＳ３５に戻る。
【００１８】
この体脂肪率表示中に表示切替キーが押されると、ステップＳ３１からステップＳ３２、Ｓ３３、Ｓ３７、Ｓ４０を経てステップＳ４３に進む。このときステップＳ４３では、Ｙｅｓと判断されステップＳ４４に進み、図９（ｄ）で示すように被験者の全身モデルの図と測定部位毎の体脂肪量を表示部１６に表示する。そしてステップＳ３９と同様のステップＳ４５に進み、後述の部位データ表示のステップを経てステップＳ３５に戻る。この体脂肪量表示中に表示切替キーが押されると、ステップＳ３１からステップＳ３２、Ｓ３３、Ｓ３７、Ｓ４０、Ｓ４３を経てステップＳ４６に進む。このときステップＳ４６では、Ｙｅｓと判断されステップＳ４７に進み、図９（ｅ）で示すように被験者の全身モデルの図と測定部位毎の部分筋肉量を表示部１６に表示する。そしてステップＳ３９と同様のステップＳ４８に進み、後述の部位データ表示のステップを経てステップＳ３５に戻る。
【００１９】
この部分筋肉量表示中に表示切替キーが押されると、ステップＳ３１からステップＳ３２、Ｓ３３、Ｓ３７、Ｓ４０、Ｓ４３、Ｓ４６を経てステップＳ４９に進み、表示カウンタを「０」にしてステップＳ３５に戻る。この時には表示カウンタが「０」であるので、ステップＳ３３からステップＳ３４に進み、数値表示に戻る。
【００２０】
次に図５を用いて、図４に示した部位データ表示のサブルーチンを説明する。図４のステップＳ３９、Ｓ４２、Ｓ４５、Ｓ４８はその処理内容が共通である。ステップＳ５０でまず図２の制御装置１３内の部位カウンタが「０」かどうかを判断するが、最初は部位カウンタが電源オン後の初期設定の値、即ち「０」であり、Ｙｅｓと判断され、ステップＳ５１で図９に示した部位切替スイッチが押されたかを判断し、押されていなければそのまま図４のステップＳ３５に戻る。ステップＳ５１で部位切替スイッチが押されていれば、Ｙｅｓと判断され、ステップＳ５２に進み、部位カウンタを「１」インクリメントする。ステップＳ５３では、部位カウンタが「１」であるのでステップＳ５４に進み、図１０（ａ）で示すように被験者の全身モデルの図と右手部位の測定データの全データを表示部１６に表示する。そしてステップＳ５５で表示終了キーが押されたことを判断され、図４のステップＳ３５に戻らない限り、ステップＳ５０に戻り、その表示を継続する。
【００２１】
この右手のデータ表示中に部位切替キーが押されると、ステップＳ５８でＹｅｓと判断され、ステップＳ５２にて部位カウンタをインクリメントし、部位カウンタを「２」とする。この時にはステップＳ５３でＮｏとなり、ステップＳ５６でＹｅｓとなり、ステップＳ５７に進む。ステップＳ５７では、図１０（ｂ）で示すように被験者の全身モデルの図と右足部位の測定データの全データを表示部１６に表示する。そしてステップＳ５５で表示終了キーが押されたことを判断され、図４のステップＳ３５に戻らない限り、ステップＳ５０に戻り、ステップＳ５０からステップＳ５８、Ｓ５３、Ｓ５６に進み、右足部の表示を継続する。この右足部の表示中に部位切替スイッチが押されていれば、ステップＳ５８でＹｅｓと判断され、ステップＳ５２に進み、部位カウンタを「１」インクリメントする。これにより、ステップＳ５３、Ｓ５６、Ｓ５９と進み、ステップＳ６０で左手部の全データが図１０（ｃ）に示すように表示される。
【００２２】
以下の説明は省略するが、左足部、頭部及び体幹部の全データも同様に図１０（ｄ）、図１０（ｅ）で示すように表示される。頭部及び体幹部のデータが表示中に部位切替キーが押されると、ステップＳ６３でＮｏと判断され、ステップＳ６５で部位カウンタが「０」に戻され、ステップＳ５５、Ｓ５０、Ｓ５１から図４に戻り、元の表示カウンタの数値表示状態に戻る。
【００２３】
なお、上述の実施例では、右手、右足、左手、左足、頭部及び体幹部の５箇所の測定部位の例で説明したが、これに限らずより少ない測定部位を表示してもよい。また、電気インピーダンス、体脂肪率、体脂肪量、筋肉量以外の測定結果を表示してもよい。
【図面の簡単な説明】
【００２４】
【図１】測定装置の斜視図である。
【図２】測定装置の電気ブロック図である。
【図３】測定装置のフローチャート図である。
【図４】測定装置のフローチャート図である。
【図５】測定装置のフローチャート図である。
【図６】表示装置の表示画面を示す図である。
【図７】表示装置の表示画面を示す図である。
【図８】表示装置の表示画面を示す図である。
【図９】表示装置の表示画面を示す図である。
【図１０】表示装置の表示画面を示す図である。
【図１１】表示画面の別実施例を示す図である。
【図１２】表示画面のさらに別実施例を示す図である。
【符号の説明】
【００２５】
１  測定装置
２  体重計
３、４、８、９ 電極部
３ａ、３ｂ、４ａ、４ｂ、８ａ、８ｂ、９ａ、９ｂ  電極
５  電源スイッチ
６  印刷装置
７  表示兼入力装置
１０  電極切替装置
１１  電流供給装置
１２  電圧測定装置
１３  制御装置
１４  記憶装置
１５  入力装置
１６  表示装置
１７  入出力制御装置
１８  電源装置
【図１】
2004243148.tif 000003
【図２】
2004243148.tif 000004
【図３】
2004243148.tif 000005
【図４】
2004243148.tif 000006
【図５】
2004243148.tif 000007
【図６】
2004243148.tif 000008
【図７】
2004243148.tif 000009
【図８】
2004243148.tif 000010
【図９】
2004243148.tif 000011
【図１０】
2004243148.tif 000012
【図１１】
2004243148.tif 000013
【図１２】
2004243148.tif 000014